(57)【要約】【課題】通常の読み取りと同等品質で裏うつりのない画像を得る。【解決手段】デジタル複写機の読取ユニット１ａ，１ｂで原稿の表面の画像と裏面の画像を読み取り、読み取った表面の画像データと裏面の画像データをメモリに蓄積する。メモリに蓄積した画像データを出力するときに、画像処理プロセッサ４ｂの裏うつり補正処理部４４は、あらかじめ登録された各種原稿の紙質の透過率等により裏面の黒画像が表面に透過してくる割合を示す補正定数を原稿に応じて選択し、選択した補正定数を裏面の出力画像データに乗算し、表面の出力画像データから補正定数を乗算した裏面の画像データを減算して裏面からの透過成分を消去する。この裏面からの透過成分を消去した表面の出力画像データに各種処理をして作像ユニット１２から出力する。【選択図】    図１
2006254472.tif 000002
【特許請求の範囲】
【請求項１】
原稿の表面の画像と裏面の画像を読み取り、読み取った表面の画像データと裏面の画像データをメモリに蓄積し、蓄積した画像データを出力するときに、あらかじめ登録された原稿の透過率に応じて裏面の黒画像が表面に透過してくる割合を示す補正定数を原稿に応じて選択し、選択した補正定数を裏面の出力画像データに乗算し、表面の出力画像データから補正定数を乗算した裏面の画像データを減算して裏面からの透過成分を消去することを特徴とする画像処理装置。
【請求項２】
原稿の表面の画像と裏面の画像を読み取り、読み取った表面の画像データと裏面の画像データをメモリに蓄積し、蓄積した画像データを出力するときに、裏面の出力画像データを平滑化し、あらかじめ登録された原稿の透過率に応じて裏面の黒画像が表面に透過してくる割合を示す補正定数を原稿に応じて選択し、選択した補正定数を平滑化した裏面の画像データに乗算し、表面の出力画像データから補正定数を乗算した裏面の画像データを減算して裏面からの透過成分を消去することを特徴とする画像処理装置。
【請求項３】
原稿の表面の画像と裏面の画像を読み取り、読み取った表面の画像データと裏面の画像データをメモリに蓄積し、蓄積した画像データを出力するときに、表面の出力画像データの平均濃度を算出し、あらかじめ登録された原稿の画像の濃度に応じて裏面の黒画像が表面に透過してくる割合を示す補正定数を表面の出力画像データの平均濃度から選択し、選択した補正定数を裏面の出力画像データに乗算し、表面の出力画像データから補正定数を乗算した裏面の画像データを減算して裏面からの透過成分を消去することを特徴とする画像処理装置。
【請求項４】
上記表面の出力画像データの平均濃度から選択した補正定数を裏面の出力画像データを平滑化した画像データに乗算する請求項３記載の画像処理装置。
【請求項５】
上記表面の出力画像データから補正定数を乗算した裏面の画像データを減算して裏うつり補正をした出力画像データの画像濃度と表面の出力画像データの平均濃度を比較し、裏うつり補正をした出力画像データの画像濃度より小さい部分は表面の出力画像データの平均濃度に置き換える請求項３又は４記載の画像処理装置。
【請求項６】
請求項１乃至５のいずれかの画像処理装置を有することを特徴とする画像形成装置。
【発明の詳細な説明】
【技術分野】
【０００１】
この発明は、例えばデジタル複写機や複写機とファクシミリとプリンタやスキャナを有するデジタル複合機等の画像処理装置及び画像形成装置、特に原稿の表面と裏面の画像データを同時に処理して裏うつりを抑制することに関するものである。
【背景技術】
【０００２】
例えば特許文献１に示されているように、デジタル複写機は読み取った原稿の画像をデジタル画像信号に変換し、このデジタル画像信号を出力可能な画像信号に変換してフレームメモリに格納し、出力時にフレームメモリに格納された画像信号をプリンタエンジンに送り複写画像を形成したり、デジタル画像信号を出力可能に変換した画像信号を一旦フロッピー（登録商標）ディスクやハードディスク等の補助記憶装置に格納し、出力時に補助記憶装置からフレームメモリに１ページあるいは複数ページ分の画像信号を転送後、この画像信号をプリンタエンジンに送り複写画像を形成する。また、ＬＡＮやシリアル・パラレルインターフェースを介してパソコン等の端末からプリントコマンドを受け取り、フォントメモリをアクセスしながらプリント画像信号をフレームメモリに展開し、展開した画像信号をプリンタエンジンに送りプリント画像を形成する。
【０００３】
このデジタル複写機で両面に印刷された原稿を読み取って画像を形成するときに、裏面の文字等が透けて見える裏うつりにより形成する画像の品質が劣化してしまう。この裏うつりを防ぐために、例えば特許文献２に示された画像読取装置は、読み取った画像の濃度信号のヒストグラムに基づいて裏うつり部分を判定し、裏うつり部分を地色とみなして読み取った画像の濃度補正を行ない裏うつりのない画像を形成するようにしている。また、特許文献３に示された画像読取装置は、原稿の裏当て部分の画像データをあらかじめ読み取り、原稿の画像データから裏当て部分の画像データを減算して薄い紙の原稿でも裏うつりのない画像を得るようにしている。
【特許文献１】特開平９−１８６８３６号公報
【特許文献２】特開平６−１４１８５号公報
【特許文献３】特開平９−１１６７５３号公報
【発明の開示】
【発明が解決しようとする課題】
【０００４】
しかしながら特許文献２に示すように、裏うつり部分を地色とみなして読み取った画像の濃度補正を行なうと、読み取った画像の階調性が犠牲になり、裏うつり部分より濃度の低い画像は再生できず、原稿の画像を正確に再現することは困難である。また、不連続な濃度補正となるためモアレも増大してしまう。また、特許文献３に示すように、原稿の画像データから裏当て部分の画像データを減算する場合も読み取った画像のダイナミックレンジを狭めてしまい良好な画像を得ることは困難である。
【０００５】
この発明はかかる短所を改善し、通常の読み取りと同等品質で裏うつりの無い画像を得ることができる画像処理装置及び画像形成装置を提供することを目的とするものである。
【課題を解決するための手段】
【０００６】
この発明に係る画像処理装置は、原稿の表面の画像と裏面の画像を読み取り、読み取った表面の画像データと裏面の画像データをメモリに蓄積し、蓄積した画像データを出力するときに、あらかじめ登録された原稿の透過率に応じて裏面の黒画像が表面に透過してくる割合を示す補正定数を原稿に応じて選択し、選択した補正定数を裏面の出力画像データに乗算し、表面の出力画像データから補正定数を乗算した裏面の画像データを減算して裏面からの透過成分を消去することを特徴とする。
【０００７】
この発明に係る第２の画像処理装置は、原稿の表面の画像と裏面の画像を読み取り、読み取った表面の画像データと裏面の画像データをメモリに蓄積し、蓄積した画像データを出力するときに、裏面の出力画像データを平滑化し、あらかじめ登録された原稿の透過率に応じて裏面の黒画像が表面に透過してくる割合を示す補正定数を原稿に応じて選択し、選択した補正定数を平滑化した裏面の画像データに乗算し、表面の出力画像データから補正定数を乗算した裏面の画像データを減算して裏面からの透過成分を消去することを特徴とする。
【０００８】
この発明に係る第３の画像処理装置は、原稿の表面の画像と裏面の画像を読み取り、読み取った表面の画像データと裏面の画像データをメモリに蓄積し、蓄積した画像データを出力するときに、表面の出力画像データの平均濃度を算出し、あらかじめ登録された原稿の画像の濃度に応じて裏面の黒画像が表面に透過してくる割合を示す補正定数を表面の出力画像データの平均濃度から選択し、選択した補正定数を裏面の出力画像データに乗算し、表面の出力画像データから補正定数を乗算した裏面の画像データを減算して裏面からの透過成分を消去することを特徴とする。
【０００９】
上記表面の出力画像データの平均濃度から選択した補正定数を裏面の出力画像データを平滑化した画像データに乗算すると良い。
【００１０】
また、表面の出力画像データから補正定数を乗算した裏面の画像データを減算して裏うつり補正をした出力画像データの画像濃度と表面の出力画像データの平均濃度を比較し、裏うつり補正をした出力画像データの画像濃度より小さい部分は表面の出力画像データの平均濃度に置き換えることが望ましい。
【００１１】
この発明に係る画像形成装置は、上記のいずれかの画像処理装置を有することを特徴とする。
【発明の効果】
【００１２】
この発明は、原稿の表面の画像と裏面の画像を読み取り、読み取った表面の画像データと裏面の画像データをメモリに蓄積し、蓄積した画像データを出力するときに、あらかじめ登録された原稿の透過率に応じて裏面の黒画像が表面に透過してくる割合を示す補正定数を原稿に応じて選択し、選択した補正定数を裏面の出力画像データに乗算し、表面の出力画像データから補正定数を乗算した裏面の画像データを減算して裏面からの透過成分を消去するようにしたから、どのような原稿を使用した場合でも裏うつりのない良質な画像を形成することができる。
【００１３】
また、メモリに蓄積した画像データを出力するときに、裏面の出力画像データを平滑化し、あらかじめ登録された原稿の透過率に応じて裏面の黒画像が表面に透過してくる割合を示す補正定数を原稿に応じて選択し、選択した補正定数を平滑化した裏面の画像データに乗算し、表面の出力画像データから補正定数を乗算した裏面の画像データを減算して裏面からの透過成分を消去することにより、表面に表れている裏うつりを確実に消去することができ、良質な画像を安定して形成することができる。
【００１４】
また、メモリに蓄積した画像データを出力するときに、表面の出力画像データの平均濃度を算出し、あらかじめ登録された原稿の画像の濃度に応じて裏面の黒画像が表面に透過してくる割合を示す補正定数を表面の出力画像データの平均濃度から選択し、選択した補正定数を裏面の出力画像データに乗算し、表面の出力画像データから補正定数を乗算した裏面の画像データを減算して裏面からの透過成分を消去することにより、濃度が高い部分の裏うつり補正後に過補正となって白ぬけとなったり、濃度の低い部分の裏うつりに対して補正が不充分であったりすることを防ぐことができ、良質な画像を安定して形成することができる。
【００１５】
さらに、表面の出力画像データの平均濃度から選択した補正定数を裏面の出力画像データを平滑化した画像データに乗算することにより、濃度が高い部分の裏うつり補正後に過補正となって白ぬけとなったり、濃度の低い部分の裏うつりに対して補正が不充分であったりすることをより防ぐことができ、良質な画像を安定して形成することができる。
【００１６】
また、表面の出力画像データから補正定数を乗算した裏面の画像データを減算して裏うつり補正をした出力画像データの画像濃度と表面の出力画像データの平均濃度を比較し、裏うつり補正をした出力画像データの画像濃度より小さい部分は表面の出力画像データの平均濃度に置き換えることにより、裏うつり補正が過補正になることを確実に防止して良質な画像を形成することができる。
【００１７】
また、この裏うつり補正処理を行なう画像処理装置をデジタル複写機や複写機とファクシミリとプリンタやスキャナを有するデジタル複合機等の画像形成装置に設けることにより、裏うつりのない良質な画像を安定して形成することができる。
【発明を実施するための最良の形態】
【００１８】
図１はこの発明のデジタル複写機の構成を示すブロック図である。図に示すように、デジタル複写機は原稿の表面を読み取る読取ユニット１ａと原稿の裏面を読み取る読取ユニット１ｂを有する。読取ユニット１ａは原稿の表面に対して光を照射し、原稿からの反射光をミラー群とレンズを通して受光素子例えばＣＣＤに集光し原稿の表面の文字や画像を光学的に読み取る。読取ユニット１ｂは読取ユニット１ａと同時に原稿の裏面に対して光を照射し、原稿からの反射光をミラー群とレンズを通して受光素子例えばＣＣＤに集光し原稿の裏面の文字や画像を光学的に読み取る。センサ・ボード・ユニット２ａ，２ｂはそれぞれＣＣＤで電気信号に変換された表面と裏面の画像信号をデジタル信号に変換して画像データ制御部３ａ，３ｂに出力する。画像データ制御部３ａ，３ｂはそれぞれ画像処理プロセッサ４ａ，４ｂやパラレルバス５ａ，５ｂや画像メモリアクセス制御部６間の画像データ転送を制御するとともに装置全体の動作を制御するシステムコントローラ７と画像データに対する各種プロセスを制御するプロセスコントローラ８間の通信を行う。この画像データ制御部３ａ，３ｂにそれぞれ入力した読取画像データは画像処理プロセッサ４ａ，４ｂに転送される。画像処理プロセッサ４ａ，４ｂは転送された読取画像データの光学系及びデジタル信号への量子化に伴う信号劣化を補正し、補正した画像データを画像データ制御部３ａ，３ｂへ再度出力する。画像データ制御部３ａ，３ｂは入力した補正画像データを、パラレルバス５を経由して画像メモリアクセス制御部６に転送する。画像メモリアクセス制御部６はシステムコントローラ７の制御に基づき転送された補正画像データとメモリ９のアクセス制御を行なうとともに、外部パソコン（ＰＣ）１０から送られるプリント用データの展開やメモリ９を有効に活用のための画像データの圧縮／伸張を行う。この画像メモリアクセス制御部６に転送された読取画像データはデータ圧縮後にメモリ９に蓄積される。メモリ９に蓄積された画像データを印刷出力するとき、表面と裏面の画像データが画像メモリアクセス制御部６により読み出され、読み出した画像データを伸張して、本来の画像データに戻しパラレルバス５を経由して画像データ制御部３ｂへ転送される。
【００１９】
画像データ制御部３ｂは画像メモリアクセス制御部６から表面と裏面の出力画像データを受信すると、受信した画像データを出力画像データとして画像処理プロセッサ４ｂに転送する。画像処理プロセッサ４ｂは転送された表面と裏面の出力画像データを同時に参照して裏うつり補正を行ない、裏うつり補正を行なった出力画像データの画質処理を行ないビデオデータ制御部１１に送る。ビデオデータ制御部１１は送られた出力画像データのパルス制御を行ない、プリンタエンジンである作像ユニット１２に送り転写紙に再生画像を形成させる。
【００２０】
読み取った画像データをファクシミリ送信するときは、読取画像データを画像データ制御部３ａ，３ｂから画像処理プロセッサ４ａ，４ｂに送り画像処理を実施し、この画像データを画像データ制御部３ａ，３ｂからパラレルバス５を経由してファクシミリ制御ユニット１３に転送する。ファクシミリ制御ユニット１３は転送された画像データを通信網へ送信するためのデータ変換を行い、公衆回線１４へファクシミリデータとして送信する。ファクシミリ受信は公衆回線１４からの受信データをファクシミリ制御ユニット１３で画像データへ変換し、変換した受信画像データをパラレルバス５と画像データ制御部３ｂを経由して画像処理プロセッサ４ｂへ転送する。画像処理プロセッサ４ｂはこの場合、受信画像データの特別な画質処理は行わずビデオデータ制御部１１に送る。ビデオデータ制御部１１は送られた受信画像データのドット再配置及びパルス制御を行い作像ユニット１２に送り転写紙に再生画像を形成させる。
【００２１】
このようにコピー機能とファクシミリ送受信機能及びプリンタ出力機能の複数ジョブが並行に動作する状況において、システムコントローラ７とＲＯＭ１５及びＲＡＭ１６でシステム全体を制御し、各リソースの起動を管理し、プロセスコントローラ８とＲＯＭ１７とＲＡＭ１８で画像データの流れを制御する。この複数のジョブの各機能選択は操作部１９において選択入力して設定する。また、システムコントローラ７とプロセスコントローラ８はパラレルバス５と画像データ制御部３ａ，３ｂ及びシリアルバス２０を介して相互に通信を行う。このとき画像データ制御部３ａ，３ｂでパラレルバス５とシリアルバス２０とのデータインタフェースのためのデータフォーマット変換を行う。パラレルバス５の使用権の調停はバス制御部のバス調停部２１で行なわれる。
【００２２】
このようにコピー機能とファクシミリ送受信機能及びプリンタ出力機能が並行に動作するデジタル複写機の画像データ制御部３ａ，３ｂと画像処理プロセッサ４ａ，４ｂと画像メモリアクセス制御部６とビデオデータ制御部１１及びファクシミリ制御ユニット１３の詳細を説明する。
【００２３】
画像データ制御部３ａ，３ｂには、図２のブロック図に示すように、画像データ入出力制御部３０とコマンド制御部３１と画像データ入力制御部３２と画像データ出力制御部３３とデータ圧縮部３４とデータ伸長部３５とデータ変換部３６とパラレルデータインタフェース３７及びシリアルデータインタフェース３８，３９を有する。センサ・ボード・ユニット２ａ，２ｂからの読取画像データは画像データ入出力制御部３０に入力し、画像データ入出力制御部３０から画像処理プロセッサ４ａ，４ｂに出力する。画像処理プロセッサ４ａ，４ｂで補正された補正画像データは画像データ入力制御部３２に入力し、画像データ入力制御部３２に入力した補正画像データはデータ圧縮部３４でパラレルバス５における転送効率を高めるためにデータ圧縮が行なわれデータ変換部３６からパラレルデータインタフェース３７を介してパラレルバス５へ送出される。パラレルデータバス３７からパラレルデータインタフェース３７を介して入力される画像データはデータ変換部３６からデータ伸長部３５に送られ、バス転送のために圧縮された画像データが伸長され、伸長された出力画像データは画像データ出力制御部３３から画像処理プロセッサ４ａ，４ｂに転送される。データ変換部３６はパラレルデータとシリアルデータの変換機能を併せ持ち、システムコントローラ７とプロセスコントローラ８間の通信のためにデータ変換を行う。２系統のシリアルデータインタフェース３８，３９はシリアルバス２０と画像処理プロセッサ４ａ，４ｂとの間で通信を制御する。
【００２４】
画像処理プロセッサ４ａは、図３のブロック図に示すように、入力インタフェース４０とスキャナ画像処理部４１と出力インタフェース４２及びコマンド制御部４７を有する。画像データ制御部３ａから転送された読取画像データは入力インタフェース４０に入力しスキャナ画像処理部４１へ送られ、スキャナ画像処理部４１でシェーディング補正とスキャナγ補正，ＭＴＦ補正等の補正処理と、拡大／縮小の変倍処理が行なわれ、この処理後の補正画像データが出力インタフェース４２から画像データ制御部３ａに転送される。画像処理プロセッサ４ｂは、図４のブロック図に示すように、入力インタフェース４０とスキャナ画像処理部４１と出力インタフェース４２と入力インタフェース４３と裏うつり補正処理部４４と画質調質部４５と出力インタフェース４６及びコマンド制御部４７を有する。画像データ制御部３ｂから転送された読取画像データは入力インタフェース４０に入力しスキャナ画像処理部４１へ送られ、スキャナ画像処理部４１でシェーディング補正とスキャナγ補正，ＭＴＦ補正等の補正処理と、拡大／縮小の変倍処理が行なわれ、この処理後の補正画像データが出力インタフェース４２から画像データ制御部３ｂに転送される。また、画像データ制御部３ｂから転送される出力画像データは入力インタフェース４３に入力し裏うつり補正処理部４４に送られ裏うつり補正を行なって画質調質部４５へ送られる。画質調質部４５では面積階調処理が行なわれ、画質処理後の出力画像データは出力インタフェース４５からビデオデータ制御部１１に送られる。この画質調質部４５における面積階調処理は濃度変換とディザ処理，誤差拡散処理等が有り、階調情報の面積近似を主な処理とする。このスキャナ画像処理部４１及び裏うつり補正部４４と画質調質部４５の処理の切り替えと処理手順の変更等はコマンド制御部４７で管理する。
【００２５】
このようにスキャナ画像処理部４１で処理された補正画像データをメモリ９に蓄積しておき、印刷出力するときに画質調質部４５で画質処理を変えることによりって種々の再生画像を形成することができる。例えば再生画像の濃度を振ってみたり、ディザマトリクスの線数を変更してみたりすることにより、再生画像の雰囲気を変更できる。このように処理を変更する度に画像データを読取ユニット１ａ，１ｂから読み込み直す必要はなく、メモリ９に格納した画像データを読み出せば、同一データに対し何度でも異なる処理を実施できる。
【００２６】
この画像処理プロセッサ４ａ，４ｂの内部構成の概略は、図５のブロック図にに示すように、外部とデータ入出力する複数の入出力ポート５１と、バススイッチ／ローカルメモリ群５２と、バススイッチ／ローカルメモリ群５２の使用するメモリー領域やデータパスの経路を制御するメモリ制御部５３と、バススイッチ／ローカルメモリ群５２に格納された画像データの各種処理を行い、出力結果をバススイッチ／ローカルメモリ群５２に格納するプロセッサアレー５４と、プロセッサアレー５４の処理手順や処理のためのパラメタ等を格納したプログラムＲＡＭ５５とびデータＲＡＭ５６及びホストバッファ５７を有する。
【００２７】
画像メモリアクセス制御部６は、図６のブロック図に示すように、パラレルデータインタフェース６１とデータ変換部６２とデータ圧縮部６３とデータ伸長部６４とメモリアクセス制御部６５とシステムコントローラインタフェース６６とラインバッファ６７及びビデオ制御部６８を有する。外部のＰＣ１０から入力されたコードデータはラインバッファ６７においてローカル領域でのデータの格納を行う。ラインバッファ６７に格納されたコードデータは、システムコントローラ７からシステムコントローラインタフェース６６を介して入力された展開処理命令に基づきビデオ制御部６６で画像データに展開される。このビデオ制御部６６で展開された画像データ又は画像データ制御部３からパラレルバス５を介してパラレルデータインタフェース６１に入力された画像データはメモリ９に格納される。この場合、データ変換部６２において格納対象となる画像データを選択し、データ圧縮部６３でメモリ使用効率を上げるためにデータ圧縮が行なわれ、メモリアクセス制御部６５でメモリ９のアドレスを管理しながら圧縮された画像データをメモリ９に格納する。メモリ９に格納された画像データを読み出すときは、メモリアクセス制御部６５で読出し先アドレスを制御し、読み出された画像データをデータ伸張部６４で伸長し、伸長した画像データをデータ変換部６２からパラレルデータインタフェース６１を介してパラレルバス５にデータ転送する。
【００２８】
画像処理プロセッサ４ｂから入力される出力画像データに対して作像ユニット１２の特性に応じて、追加の処理を行うビデオデータ制御部１１には、図７のブロック図に示すように、エッジ平滑処理部１１０１とパルス制御部１１０２とパラレルデータインタフェース１１０３とデータ変換部１１０４及びシリアルデータインタフェース１１０５を有する。画像処理プロセッサ４ｂから入力された出力画像データはエッジ平滑処理部１１０１でドットの再配置処理が行なわれ、パルス制御部１１０２でドット形成のための画像信号のパルス制御を行ない作像ユニット１２に出力される。この出力画像データの変換とは別にパラレルデータインタ１１０３から入出力するパラレルデータとシリアルデータインタフェース１１０５から入出力するシリアルデータのフォーマット変換をデータ変換部１１０４で行ない、ビデオデータ制御部１１単体でもシステムコントローラ７とプロセスコントローラ８の通信に対応できる。
【００２９】
前記のように構成したデジタル複写機で、読取りユニット１ａで読み取った原稿の表面の画像データはセンサ・ボード・ユニット２ａと画像データ制御部３ａと画像処理プロセッサ４ａと画像データ制御部３ａとに順次転送され、画像データ制御部３ａからパラレルバス５と画像メモリアクセス制御部６を介してメモリ９に蓄積される。また、読取りユニット１ｂで読み取った原稿の裏面の画像データはセンサ・ボード・ユニット２ｂと画像データ制御部３ｂと画像処理プロセッサ４ｂと画像データ制御部３ｂとに順次転送され、画像データ制御部３ｂからパラレルバス５と画像メモリアクセス制御部６を介してメモリ９に蓄積される。このメモリ９に蓄積された画像データを出力するとき、メモリ９に蓄積された画像データは画像メモリアクセス制御部６とパラレルバス５を介して画像データ制御部３ｂに送られ、画像データ制御部３ｂから画像処理プロセッサ４ｂとビデオデータ制御部１１を介して作像ユニット１２に送られ転写画像を形成する。
【００３０】
このように読取りユニット１ａ，１ｂで原稿の表面と裏面の画像が読み取られメモリ９に蓄積された表面と裏面の画像データを出力するとき、画像メモリアクセス制御部６により表面の画像データはメモリ９からそのまま読み出されるが裏面の画像データは表面の画像データと重ね合わせたときに位置が一致するように画像データの読み出しの位置の調整が行われた上に左右反転されて読み出される。画像メモリアクセス制御部６で読み出された表面の出力画像データと裏面の出力画像データは画像データ制御部３ｂを経由して画像処理プロセッサ４ｂに転送される。画像処理プロセッサ４ｂに転送された出力画像データは裏うつり補正処理部４４で表面と裏面のデータにより裏うつり補正処理が行われる。この裏うつり補正処理について図８の説明図を参照して説明する。図８において、（ａ）は表面の出力画像データによる表面画像８１を示し、（ｂ）は裏面の出力画像データによる裏面画像８２を示す。（ａ）に示す表面画像８１には、原稿の表面に印刷されている画像のほかに裏面に印刷されている画像が透過して表面に表れた透過成分を含んでいる。そこで（ｂ）に示す裏面画像８２を形成する裏面の出力画像データに対してあらかじめ定めた補正定数を乗算する。この補正定数は各種原稿の紙質の透過率等により裏面の黒画像が表面に透過してくる割合を実験的に求めて算出して複数ランクの補正定数をあらかじめ裏うつり補正処理部４４に登録しておく。そして原稿の種類に応じて操作パネル１９で選択した原稿の紙質等種類に応じて最適な補正定数を選択し裏面の出力画像データに乗算し、表面の出力画像データから補正定数を乗算した裏面の画像データを減算して裏面からの透過成分を消去する。この演算時に演算値が負となる場合は「０」に固定する。その後、演算した表面の出力画像データの画質処理等を画質調質部４５で行ない、ビデオデータ制御部１１を経由して作像ユニット１２に送り転写紙に印字する。このように表面の出力画像データから補正定数を乗算した裏面の画像データを減算し、裏面からの透過成分を消去した出力画像データにより画像を形成することにより（ｃ）に示すように、裏うつりのない良質な表面の画像８３を形成することができる。また、裏面の出力画像データにも裏うつり補正処理部４４で同様な処理を行なう。
【００３１】
前記説明では画像処理プロセッサ４ｂに転送された裏面の出力画像データに補正定数を直接乗算した場合について示したが、画像処理プロセッサ４ｂに転送された裏面の出力画像データに裏うつり補正処理部４４で平滑化フィルタをかけて平滑化してから補正定数を乗算するようにしても良い。この裏面の出力画像データにかける平滑化フィルタは、どのような周波数特性のフィルタが適当であるかは原稿の種類に応じて裏面の画像が表面に透過した画像のぼけの程度によって判断される。このように裏面の出力画像データを平滑化すると裏面の鋭いエッジ画像が表面に透過するとなまって広がるようになる。この平滑化された裏面の画像データに補正定数を乗算し、表面の出力画像データから補正定数を乗算した裏面の画像データを減算して裏面からの透過成分を消去する。この演算時にも演算値が負となる場合は「０」に固定する。その後、演算した表面の出力画像データの画質処理等を画質調質部４５で行ない、ビデオデータ制御部１１を経由して作像ユニット１２に送り転写紙に印字する。この場合の裏うつり補正を行なった画像を図９に示す。図９において、（ａ）は表面の出力画像データによる表面画像８１を示し、（ｂ）は裏面の出力画像データによる裏面画像８２を示し、（ｃ）は裏面の出力画像データを平滑化処理した画像データによる裏面平滑化画像を示し、（ｄ）は裏うつり補正をした表面の画像８３を示す。図に示すように、平滑化された裏面の画像データに補正定数を乗算し、表面の出力画像データから補正定数を乗算した裏面の画像データを減算して裏面からの透過成分を消去することにより、表面に表れている裏うつりを確実に消去することができ、良質な画像を形成することができる。
【００３２】
また、裏うつりの程度は表面の出力画像データの濃度により異なる。例えば図１０の（ａ）に示すように、原稿の表面にある程度高い濃度の画像９１がある場合と、（ｂ）に示すように、原稿の表面に低い濃度の画像９２がある場合、裏うつりの画像９３による濃度変化は原稿の表面にある程度高い濃度の画像９１がある場合の方が小さく、原稿の表面に低い濃度の画像９２がある場合の方が大きくなる。そこで表面の出力画像データの濃度に応じて裏うつりの補正を行なうようにしても良い。この場合は、画像処理プロセッサ４ｂに転送された裏面の出力画像データに裏うつり補正処理部４４で平滑化フィルタをかけて平滑化する。また、転送された表面の出力画像データにも平滑化フィルタをかけて平均濃度を求める。次ぎに、この表面の出力画像データの平均濃度から補正定数を求める。この補正定数は原稿の表面の画像の濃度に応じて裏面の黒画像が表面に透過してくる割合を実験的に求めて算出して複数ランクの補正定数をあらかじめ裏うつり補正処理部４４に登録しておく。この補正定数のなかから最適な補正定数を表面の出力画像データの平均濃度から選択し、選択した補正定数を平滑化された裏面の画像データに乗算し、表面の出力画像データから補正定数を乗算した裏面の画像データを減算して裏面からの透過成分を消去する。この演算時にも演算値が負となる場合は「０」に固定する。その後、演算した表面の出力画像データの画質処理等を画質調質部４５で行ない、ビデオデータ制御部１１を経由して作像ユニット１２に送り転写紙に印字する。このようにして表面の画像の濃度に応じて裏うちり補正を行なうことにより、濃度が高い部分の裏うつり補正後に過補正となって白ぬけとなったり、濃度の低い部分の裏うつりに対して補正が不充分であったりすることを防ぐことができ、良質な画像を安定して形成することができる。
【００３３】
前記説明では表面の出力画像データの平均濃度から選択した補正定数を平滑化された裏面の画像データに乗算する場合について示したが、選択した補正定数を平滑化してない裏面の出力画像データに乗算しても良い。
【００３４】
前記に示すように、裏うつりの補正定数を表面の出力画像データの平均濃度から選択し、選択した補正定数を平滑化された裏面の画像データに乗算し、表面の出力画像データから補正定数を乗算した裏面の画像データを減算したときに、減算して裏面からの透過成分を消去した表面の出力画像データの濃度が表面の出力画像データの平均濃度よりも小さいときは過補正になる可能性がある。そこで表面の出力画像データから補正定数を乗算した裏面の画像データを減算して裏うつり補正をした出力画像データの画像濃度と表面の出力画像データの平均濃度を比較し、裏うつり補正をした出力画像データの画像濃度より小さい部分は表面の出力画像データの平均濃度に置き換える。このようにして裏うつり補正が過補正になることを防止して良質な画像を形成することができる。
【００３５】
前記各説明は原稿の透過率又は画像の濃度に応じて裏うつり補正の補正定数を選択して裏うつり補正を行なった場合について示したが、原稿の透過率及び画像の濃度に応じて裏うつり補正の補正定数をあらかじめ定めて裏うつり補正処理部４４に登録しておき、原稿の透過率と画像の濃度から補正定数を選択して裏うつり補正を行なうようにしても良い。
【００３６】
また、原稿の表面を読み取る読取ユニット１ａと原稿の裏面を読み取る読取ユニット１ｂを有する場合について説明したが、１台の読取ユニットで原稿の表面の画像と裏面の画像を順次読み取って、読み取った画像データをメモリに格納した場合も上記実施例と同様にして裏うつり補正を行なうことができる。
【図面の簡単な説明】
【００３７】
【図１】この発明の実施例のデジタル複写機の構成を示すブロック図である。
【図２】画像データ制御部の構成を示すブロック図である。
【図３】画像処理プロセッサの構成を示すブロック図である。
【図４】第２の画像処理プロセッサの構成を示すブロック図である。
【図５】画像処理プロセッサの内部構成を示すブロック図である。
【図６】画像メモリアクセス制御部の構成を示すブロック図である。
【図７】ビデオデータ制御部の構成を示すブロック図である。
【図８】裏写り補正処理を示す説明図である。
【図９】第２の裏写り補正処理を示す説明図である。
【図１０】第３の裏写り補正処理を示す説明図である。
【符号の説明】
【００３８】
１；読取ユニット、２；センサ・ボード・ユニット、３；画像データ制御部、
４；画像処理プロセッサ、５；パラレルバス、
６；画像メモリアクセス制御部、７；システムコントローラ、
８；プロセスコントローラ、９；メモリ、１０；ＰＣ、
１１；ビデオデータ制御部、１２；，作像ユニット、
１３；ファクシミリ制御ユニット、１４；公衆回線、２０；シリアルバス、
２１；バス調停部、４４；裏うつり補正処理部。
【図１】
2006254472.tif 000003
【図２】
2006254472.tif 000004
【図３】
2006254472.tif 000005
【図４】
2006254472.tif 000006
【図５】
2006254472.tif 000007
【図６】
2006254472.tif 000008
【図７】
2006254472.tif 000009
【図８】
2006254472.tif 000010
【図９】
2006254472.tif 000011
【図１０】
2006254472.tif 000012